(57)【特許請求の範囲】
【請求項１】
パチンコ球を貯留する球タンクの下方に、該パチンコ球を整列して流下させる誘導通路を設け、該誘導通路の流下端にパチンコ球払出装置を着脱可能に配設し、該パチンコ球払出装置の下方には払出された前記パチンコ球を球受け皿に導く排出通路が設けられたパチンコ遊技機におけるパチンコ球払出装置の取付構造において、
ロック部材と、
前記ロック部材を上下方向にスライドさせるためのスライドガイド手段と、
前記ロック部材に設けられたロック部材側嵌合部と、
前記スライドガイド手段に設けられたガイド側嵌合部と、
前記ロック部材又は前記スライドガイド手段に設けられ、少なくとも前記ロック部材が前記パチンコ球払出装置に接触し得る状態で前記ロック部材を前記スライドガイド手段に固定保持可能に付勢する付勢手段とを備え、
前記ロック部材は、前記スライドガイド手段により前記パチンコ球払出装置に向けて上方向にスライドさせると、前記パチンコ球払出装置に接触した状態で前記付勢手段に付勢され、前記ロック部材側嵌合部が前記ガイド側嵌合部に嵌合されて前記ロック部材の上下方向の移動が規制されつつ前記スライドガイド手段に固定保持され、それにより前記ロック部材は前記パチンコ球払出装置を前記パチンコ遊技機に固定保持することができ、且つ固定保持の状態で、前記ロック部材が前記パチンコ球払出装置から払出された前記パチンコ球を前記球受け皿に導く前記排出通路のカバー部となることを特徴とする、パチンコ球払出装置の取付構造。
【請求項２】
請求項１に記載のパチンコ球払出装置の取付構造において、
前記ロック部材側嵌合部は、
前記ロック部材の外周に設けられた凹部であり、
前記スライドガイド手段は、
上下方向に延びた断面Ｌ字型の２つの縦枠部材で構成され、前記縦枠部材には、前記凹部と嵌合する前記ガイド側嵌合部である凸部が設けられ、
前記付勢手段は、
前記凹部と前記凸部とを嵌合させるように前後方向に前記ロック部材を付勢するよう構成され、
前記縦枠部材は、
前記付勢手段により付勢され、前記凸部と前記凹部とが嵌合した前記ロック部材が、当該縦枠部材のＬ字断面の下辺部分と付勢手段とによって挟持されることにより、前記前後方向への移動を規制することを特徴とする、パチンコ球払出装置の取付構造。
【発明の詳細な説明】
【０００１】
【発明の属する技術分野】
本発明は、パチンコ遊技機におけるパチンコ球払出装置の取付構造に関する。
【０００２】
【従来の技術】
従来、パチンコ遊技機の裏面側には周知のように合成樹脂製の機構板が装着されている。この機構板の上部にはパチンコ球を貯留する球タンクが取付けられており、該球タンクの下方に該球タンクに貯留されたパチンコ球を下流側に整列しながら流下させる誘導通路が設けられている。該誘導通路の下流側には球止装置が設けられ、更に、下流側にパチンコ球払出装置が設けられている。ところで、このパチンコ球払出装置は何らかの原因で故障したときに取外して修理又は交換できるように機構板に対し着脱可能に装着されることが望ましい。従って、パチンコ球払出装置はこれまでパチンコ遊技機の機構板にネジによって取付けられてきた。
【０００３】
【発明が解決しようとする課題】
しかし、ネジによってパチンコ球払出装置がパチンコ遊技機の機構板に取付けられる場合は、取付けおよび取外し作業に時間がかかるという問題があった。又、環境保全、資源保護等の観点から廃棄パチンコ遊技機の各部品を樹脂、金属等に分別して回収することが望ましいが、その際にもパチンコ球払出装置の取外しに時間がかかるという問題があった。
【０００４】
この問題を解決するためにこれまで種々の提案がなされており、例えば特開２０００−１３５３５４号公報や特開２００１−４６６８７号公報に開示されているような技術がある。前者の場合、パチンコ球払出装置の下方にロック部材を設け、該ロック部材が回動することにより、パチンコ球払出装置を固定保持する方法が提案されている。又、後者の場合、パチンコ球を払出すための玉計数装置を機構板にセットし、該玉計数装置の下部を押圧部材で機構板に押付け固定する方法が提案されている。上述した２つの技術は、パチンコ球払出装置（玉計数装置）の着脱が容易になるだけでなく、パチンコ球払出装置を取付けるための部材（ロック部材や押圧部材）が、パチンコ球払出装置から払出されたパチンコ球の球こぼれ防止カバーとしての機能も兼用しているため、部品点数の削減に繋がり、コストダウンを図ることができるという点において、優れた効果を奏する。
【０００５】
しかし、上述した２つの技術には、次のような問題があった。
前者の技術（特開２０００−１３５３５４号公報）の場合、パチンコ球払出装置を固定保持するロック部材が回動軸を中心に回動する構成であるため、回動軸に負荷がかかり破損する可能性があった。又、ロック部材を回動させる構成であるため、回動させるためのスペースをパチンコ球払出装置の下方に設ける必要があり、その結果、パチンコ球払出装置の取付構造自体が大きくなり、パチンコ遊技機の裏面側における限られたスペースを効率的に利用することができなかった。  又、後者の技術（特開２００１−４６６８７号公報）の場合、玉計数装置を取外す際に押圧部材を完全に取外してから玉計数装置を取外すため押圧部材が紛失する可能性があった。又、別個に設けられた押圧部材を機構板に押付けることにより玉計数装置に装着する方式であるので、玉計数装置を固定保持する際の固定保持力が不十分で玉計数装置が作動すると押圧部材が振動などで外れるおそれがあった。
【０００６】
ところで、近年、貸球と賞球とを別々の経路で検出するという規則の実施に伴い、貸球検出スイッチと賞球検出スイッチとがそれぞれ別々にパチンコ球払出装置に備えられることになり、パチンコ球払出装置が従来のものより大型化し、それに伴い、パチンコ遊技機の裏面側における限られたスペースを効率的に利用することができなくなるという傾向になっていた。その結果、パチンコ球払出装置の取付構造自体のコンパクト化（若しくは小型化）が望まれていた。
【０００７】
そこで、本発明は上記の事情に鑑みなされたもので、その目的は、パチンコ球払出装置の取付構造にパチンコ球払出装置の固定保持機能とパチンコ球払出装置から払出されたパチンコ球の球こぼれ防止カバーとしての機能とを兼用させることによりパチンコ球払出装置の取付構造の部品点数削減とコストダウンを図り、且つできる限りコンパクトな構造にすることによりパチンコ遊技機の裏面側における限られたスペースを効率的に利用できるパチンコ球払出装置の取付構造を提供することにある。
【０００８】
【課題を解決するための手段及び発明の効果】
上記目的を達成するため請求項１に記載されたパチンコ球払出装置の取付構造は、
パチンコ球を貯留する球タンクの下方に、該パチンコ球を整列して流下させる誘導通路を設け、該誘導通路の流下端にパチンコ球払出装置を着脱可能に配設し、該パチンコ球払出装置の下方には払出された前記パチンコ球を球受け皿に導く排出通路が設けられたパチンコ遊技機におけるパチンコ球払出装置の取付構造において、
ロック部材と、
前記ロック部材を上下方向にスライドさせるためのスライドガイド手段と、
前記ロック部材に設けられたロック部材側嵌合部と、
前記スライドガイド手段に設けられたガイド側嵌合部と、
前記ロック部材又は前記スライドガイド手段に設けられ、少なくとも前記ロック部材が前記パチンコ球払出装置に接触し得る状態で前記ロック部材を前記スライドガイド手段に固定保持可能に付勢する付勢手段とを備え、
前記ロック部材は、前記スライドガイド手段により前記パチンコ球払出装置に向けて上方向にスライドさせると、前記パチンコ球払出装置に接触した状態で前記付勢手段に付勢され、前記ロック部材側嵌合部が前記ガイド側嵌合部に嵌合されて前記ロック部材の上下方向の移動が規制されつつ前記スライドガイド手段に固定保持され、それにより前記ロック部材は前記パチンコ球払出装置を前記パチンコ遊技機に固定保持することができ、且つ固定保持の状態で、前記ロック部材が前記パチンコ球払出装置から払出された前記パチンコ球を前記球受け皿に導く前記排出通路のカバー部となるように構成する。
【０００９】
そうすると、前記スライドガイド手段によりスライドした前記ロック部材が前記パチンコ球払出装置に接触して前記付勢手段により固定保持され、前記ロック部材に接触している前記パチンコ球払出装置を所定の位置に固定保持できる。
【００１０】
又、前記ロック部材が前記パチンコ球払出装置から払出された前記パチンコ球を前記パチンコ遊技機の球受け皿に導く前記排出通路のカバー部となるのでパチンコ球払出装置の取付構造の部品点数が減少しコストダウンを図ることができる。
【００１１】
更に、前記ロック部材を含むパチンコ球払出装置の取付構造をスライド式にすることにより取付構造自体をコンパクトに構成でき、パチンコ遊技機の裏面側における限られた空間を効率的に利用することができる。
【００１３】
次に、請求項２に記載されたパチンコ球払出装置の取付構造は、
請求項１に記載のパチンコ球払出装置の取付構造において、
前記ロック部材側嵌合部は、
前記ロック部材の外周に設けられた凹部であり、
前記スライドガイド手段は、
上下方向に延びた断面Ｌ字型の２つの縦枠部材で構成され、前記縦枠部材には、前記凹部と嵌合する前記ガイド側嵌合部である凸部が設けられ、
前記付勢手段は、
前記凹部と前記凸部とを嵌合させるように前後方向に前記ロック部材を付勢するよう構成され、
前記縦枠部材は、
前記付勢手段により付勢され、前記凸部と前記凹部とが嵌合した前記ロック部材が、当該縦枠部材のＬ字断面の下辺部分と付勢手段とによって挟持されることにより、前記前後方向への移動を規制することを特徴とする。
【００１４】
これによると、前記ロック部材に凹部が設けられ、これに嵌合する凸部が前記スライドガイド手段に設けられていると、例えばロック部材がパチンコ球払出装置に接触した状態（パチンコ球払出装置が取付いた状態）で、該互いの凹凸部が嵌合することにより前記ロック部材と前記スライドガイド手段との結合が一層確実になる。即ち、前記ロック部材を前記スライドガイド手段に一層強固に固定保持することができる。
【００１６】
【発明の実施の形態】
以下に、本発明の実施形態を、添付図面に基づいて説明する。
図１は、パチンコ遊技機の裏面側の状態を示す図であり、図２は、パチンコ球払出装置をパチンコ遊技機の機構板から取外した状態を示す要部斜視図であり、図３は、パチンコ球払出装置をパチンコ遊技機の機構板に取付けた状態を示す要部斜視図である。
【００１７】
図１に示すように、パチンコ遊技機１の裏面側の上部には球タンク６が配設され、球タンク６の下方には該球タンク６に貯留されたパチンコ球を下流側に整列して流下させる誘導通路１１が設けられている。誘導通路１１の下流側には図2 又は図３に示す球止め装置６２が設けられ、更に下流側に、パチンコ球払出装置９が設けられている。そして該パチンコ球払出装置９をの下方には、排出通路１８が設けられている。パチンコ球払出装置９から払出されたパチンコ球は排出通路１８を通り、パチンコ遊技機１の前面側の球受け皿（図示せず）に導かれる。
【００１８】
前記誘導通路１１の下方には、図２に示すように、パチンコ遊技機１の機構板５にパチンコ球払出装置９を取付けるために、パチンコ球払出装置９の機構板５に向いた側の面よりやや大きい面積の凹部形状をした取付部２２が機構板５に形成されている。
【００１９】
パチンコ球払出装置９を機構板５に取付けるには、パチンコ球払出装置９の機構板５に向いた側の面を取付部２２の奥部に当てがい、パチンコ球払出装置９の上端部に設けられた２個の凸部２３を機構板５の取付部２２の奥部に設けられた２個の凹部（図示せず）に係合させ、同時にパチンコ球払出装置９の機構板5に向いた側の面のほぼ中央部に設けられた凹部（図示せず）を機構板５の取付部２２のほぼ中央部に設けられた凸部２４に係合させる。その後、ロック部材２５を上方にスライドさせロック部材２５の上方のパチンコ球払出装置９を上方へ押上げ機構板５に取付ける。図３にパチンコ球払出装置９がパチンコ遊技機１の機構板５に取付けられた状態を示す。
【００２０】
パチンコ球払出装置９を機構板５から取外すには、パチンコ球払出装置９がパチンコ遊技機１の機構板５に取付けられた状態からロック部材２５を下方にスライドさせた後、パチンコ球払出装置９の機構板５に向いた側の面のほぼ中央部に設けられた凹部（図示せず）と機構板５の取付部２２のほぼ中央部に設けられた凸部２４との係合およびパチンコ球払出装置９の上端部に設けられた２個の凸部２３と機構板５の取付部２２の奥部に設けられた２個の凹部（図示せず）との係合を外せばよい。このようにすると、パチンコ球払出装置９を機構板５の取付部２２に容易に着脱することができる。
【００２１】
図４は、ロック部材およびスライドガイド手段を示す斜視図である。
パチンコ球払出装置の取付構造は、図４に示すように、ロック部材２５とロック部材２５をスライドさせるためのスライドガイド手段４５とで構成されている。
【００２２】
スライドガイド手段４５にはロック部材２５をスライドガイド手段４５に固定保持させるための固定保持手段５５が設けられている。
ロック部材２５は、ほぼ矩形状の平板３９と平板３９の面から直角方向に突き出た取手部２７とで構成されている。平板３９に適切な剛性を付与するため、上下方向（図４のU又はD方向）に３個の縦リブ３１および水平方向（図４のF又はR方向）に３個の横リブ３５が設けられている。外側の２個の縦リブ３１の上下長さ方向のほぼ中間には凹部３３がそれぞれ１個ずつ形成されている。
【００２３】
縦リブ３１の外側面３７は後述のスライドガイド手段４５に設けられたスライドガイド枠４７の縦枠部材６３の内側面５７と係合するように造られている。平板３９の上端部（図４のU方向側）に設けられた横リブ３５の上面２９は巾広になっていて、パチンコ球払出装置９の底面に当接する部分である。上下方向の真中の縦リブ３１と水平方向の真中の横リブ３５とが交差する平板３９の中心部には前述の取手部２７が設けられている。この取手部２７を持ってロック部材２５を上下方向にスライドさせることができる。
【００２４】
平板３９、縦リブ３１、横リブ３５および取手部２７は例えばABS、ポリプロピレン等で一体成形されている。
スライドガイド手段４５は、後述するスライドガイド枠４７と、上下方向に真っ直ぐに延び先端に取付用のネジ孔６１が設けられた矩形状の縦部材４６と、縦部材４６に接続し横方向に延在する横部材４９とで構成される。横部材４９にはスライドガイド枠４７と固定保持手段５５とが設けられている。
【００２５】
スライドガイド枠４７は、上下方向に延びた平行な２個の縦枠部材６３と横方向に延びた１個の横枠部材６４とで構成されており、外観はちょうどコの字状に形成されている。縦枠部材６３の断面はL字型に成形されており、縦枠部材６３の内側面５７は、前述のロック部材２５の外側の縦リブ３１の外側面３７と係合する。更に、スライドガイド枠４７の縦枠部材６３の上端部には、凸部５３が設けられ、この凸部５３がロック部材２５の外側の縦リブ３１の上下長さ方向のほぼ中間に設けられた凹部３３と嵌合する。
【００２６】
固定保持手段５５は、３個の付勢片５６で構成されている。付勢片５６は、図４に示すように、横部材４９に設けられた上下方向の切込み部分の先端に突起部が水平方向に設けられており、横部材４９の前後方向（図４のF又はR方向）に撓むことができる。付勢片５６の突起部の厚さ（図４のR方向側）とロック部材２５の厚さ（図４のF又はR方向）即ち外側面３７の巾寸法との合計寸法がスライドガイド枠４７の縦枠部材６３の奥行寸法（図４のF又はR方向）即ち内側面５７の巾寸法より大きくなるように設計されているため、ロック部材２５がスライドガイド手段４５に係合した状態では３個の付勢片５６がパチンコ遊技機１の前面側（図４のF方向）に撓み、ロック部材２５の平板３９を裏面側（図４のR方向）へ押付けている。このようにして、ロック部材２５に付勢力を与えることができるのである。
【００２７】
横部材４９の下部には下方がパチンコ遊技機１の前面側（図４のF方向）にやや突き出た壁面５１が形成され、パチンコ装置９から払出されたパチンコ球の排出通路１８の通路壁の一部になっている。
スライドガイド手段４５を機構板５に固定するには、横部材４９に設けられたネジ孔５９および縦部材４６の先端部に設けられたネジ孔６１を用いて機構板５にネジ止めする。
【００２８】
スライドガイド手段４５を構成する縦部材４６、横部材４９、スライドガイド枠４７および固定保持手段５５を構成する付勢片５６は例えばABS、ポリプロピレン等で一体成形されている。
図５および図６にロック部材２５とスライドガイド手段４５とが係合した状態を示す。
【００２９】
図５は、ロック部材２５がスライドガイド枠４７の最下端位置にある状態を示す。図６は、ロック部材２５がスライドガイド枠４７の最上端位置にありロック部材２５の凹部３３とスライドガイド枠４７の縦枠部材６３の上端部に設けられた凸部５３とが嵌合した状態を示している。
【００３０】
次に、パチンコ球払出装置の取付構造の使用方法を図７および図８を参照して説明する。図７は、ロック部材２５がスライドガイド手段４５の最下端位置にありパチンコ球払出装置９の底面とスライドガイド手段４５との間に隙間がある状態を示す部分断面図である。図８は、ロック部材２５がスライドガイド手段４５の最上端位置にあり、固定保持手段５５によってパチンコ球払出装置９を所定の位置に固定保持させた状態を示す部分断面図である。
【００３１】
図７に示すように、ロック部材２５はスライドガイド手段４５の最下端位置にある場合、パチンコ球払出装置９の底面と排出通路１８との間には隙間が生じている。ロック部材２５は固定保持手段５５によってスライドガイド手段４５に付勢され固定保持されている。
【００３２】
次に、パチンコ球払出装置９を所定の位置に固定保持するために、図８に示すように、ロック部材２５の取手部２７を上方（図８のU方向）へ押上げる。そうすると、パチンコ球払出装置９の底面とスライドガイド手段４５の横部材４９の上端部との間の隙間はロック部材２５によって塞がれる。その場合、パチンコ球払出装置９に接触しているロック部材２５は固定保持手段５５の付勢片５６によってスライドガイド手段４５に固定保持されている他、更に、ロック部材２５の最上端位置においてロック部材２５の凹部３３とスライドガイド枠４７の縦枠部材６３の上端部に設けられている凸部５３とが付勢片５６により生ずる付勢力によって、ロック部材２５がパチンコ遊技機１の裏面側（図７のR方向）に押出されて嵌合するので、ロック部材２５がスライドガイド手段４５に上記位置で一層強固に固定保持される。これに伴い、パチンコ球払出装置９も上記位置で強固に固定保持される。
【００３３】
尚、前述のように、図２に示した如く、パチンコ球払出装置９を機構板５に取付けるには、パチンコ球払出装置９の機構板５に向いた側の面を取付部２２の奥部に当てがい、パチンコ球払出装置９の上端部に設けられた２個の凸部２３を機構板５の取付部２２の奥部に設けられた２個の凹部（図示せず）に係合させ、同時にパチンコ球払出装置９の機構板5に向いた側の面のほぼ中央部に設けられた凹部（図示せず）を機構板５の取付部２２のほぼ中央部に設けられた凸部２４に係合させる。
【００３４】
このように、パチンコ球払出装置の取付構造をスライド式にすることにより取付構造自体をコンパクトに構成でき、パチンコ遊技機１の裏面側における限られた空間を効率的に利用できる。その場合、前述のように、横部材４９の上端部とパチンコ球払出装置９の底面との間の隙間が塞がれ、ロック部材２５がパチンコ球払出装置９から払出されたパチンコ球を球受け皿に導く排出通路１８のカバー部となり球こぼれを防止できるのでパチンコ球払出装置の取付構造の部品点数が減少しコストダウンを図ることができる。
【００３５】
パチンコ球払出装置９の固定保持を解除するには、図８に示すロック部材２５の取手部２７を固定保持手段５５の付勢片５６によって生ずる付勢力に逆らって前面側（図８のF方向）へ押付け、図６に示すロック部材２５に設けられた凹部３３とスライドガイド枠４７の縦枠部材６３の上端部に設けられた凸部５３との嵌合を外す。その後、取手部２７を付勢片５６による付勢力に逆らって下方に下げ、ロック部材２５をスライドガイド手段４５により下方へスライドさせればよい。
【００３６】
尚、ロック部材２５がパチンコ球払出装置９に接触していない状態でもロック部材２５はスライドガイド手段４５に設けられた固定保持手段５５によってスライドガイド手段４５に固定保持することができる。これはパチンコ球払出装置９を修理、交換などのためにパチンコ遊技機１から取外す際にロック部材２５を上下方向にスライドさせないためである。従って、パチンコ球払出装置９の取外しあるいは取付作業が容易になる。即ち、これは、例えば、前記パチンコ遊技機の製造過程、又は、流通過程において、前記パチンコ遊技機がどのような姿勢（例えば上下逆さまの状態）になっていても、前記パチンコ球払出装置を前記パチンコ遊技機に着脱することが容易であることを意味している。
【００３７】
又、固定保持手段５５としての付勢片５６はロック部材２５又はスライドガイド手段４５のいずれに設けてもよい。
又、付勢片５６によりロック部材２５がスライドガイド手段４５に付勢されることによりロック部材２５がスライドガイド手段４５に固定保持される構造について説明したが、ロック部材２５とこれに係合するスライドガイド手段４５との間の係合部分に摺動摩擦力を生じさせロック部材２５をスライドガイド手段４５に固定保持する摩擦力固定保持手段を用いてもよい。その場合は、図４に示すロック部材２５とスライドガイド手段４５との間の係合部分の寸法を調整することによりロック部材２５をスライドガイド手段４５に固定保持することができる。即ち、ロック部材２５の両外側の縦リブ３１の外側面３７と、これに係合するスライドガイド手段４５のスライドガイド枠４７の内側面５７との間に上下方向の摺動摩擦力が生じるように寸法を調整する。尚、必要に応じて、ロック部材２５の両外側の縦リブ３１の前後方向（図４のF又はR方向）の面とスライドガイド枠４７の内側面５８及び内側面５８の対面との間にも上下方向の摺動摩擦力が生じるように寸法を調整するようにしてもよい。
【００３８】
そうすると、ロック部材２５がスライドガイド手段４５に沿って上下方向（図４のU又はD方向）にスライドする際、上記の外側面３７と内側面５７との間に摺動摩擦力が生じる。その結果、上記摺動摩擦力によってロック部材２５がスライドガイド手段４５の最上端位置と最下端位置との間の任意の位置でスライドガイド手段４５に固定保持されるので、ロック部材２５又はスライドガイド手段４５に付勢片５６を設ける必要がなくロック部材２５又はスライドガイド手段４５の構造が簡単になりコストダウンを図ることができる。
【００３９】
又、図示していないがロック部材２５がスライドガイド手段４５の最下端位置にある状態においてもロック部材２５に凹部又は凸部を設けこれに嵌合する凸部又は凹部をスライドガイド手段４５に設けてもよい。それにより最下端位置においてロック部材２５とスライドガイド手段４５の結合が一層強固になる。
【００４０】
尚、本実施例では、スライドガイド手段４５がスライドガイド枠４７と縦部材４６と横部材４９とで構成されているが、ロック部材２５をスライドさせることができる限り、本発明の技術思想から逸脱しない範囲内で他の構成を取ってもよい。又、本実施例では、ロック部材２５が縦リブ３１と横リブ３５と取手部２７を有する矩形状の平板３９とで構成されているが、パチンコ球払出装置９を所定の位置に固定させる部材である限り、本発明の技術思想から逸脱しない範囲内で他の構成を取ってもよい。更に、本実施例では、固定保持手段５５がロック部材２５又はスライドガイド手段４５に設けられた付勢片で構成され、ロック部材２５又はスライドガイド手段４５が付勢されることによりロック部材２５がスライドガイド手段４５に固定保持され、あるいはロック部材２５とスライドガイド手段４５の間に摺動摩擦力を生じさせることによりロック部材２５がスライドガイド手段４５に固定保持される構成としているが、ロック部材２５がスライドガイド手段４５に固定保持される限り、本発明の技術思想から逸脱しない範囲内で他の構成を取ってもよい。
【図面の簡単な説明】
【図１】  パチンコ遊技機の裏面側の状態を示す図である。
【図２】  パチンコ球払出装置をパチンコ遊技機の機構板から取外した状態を示す要部斜視図である。
【図３】  パチンコ球払出装置をパチンコ遊技機の機構板に取付けた状態を示す要部斜視図である。
【図４】  ロック部材およびスライドガイド手段を示す斜視図である。
【図５】  ロック部材がスライドガイド枠の最下端位置にある状態を示す斜視図である。
【図６】  ロック部材がスライドガイド枠の最上端位置にあり、且つ、ロック部材の凹部がスライドガイド手段の凸部に嵌合した状態を示す斜視図である。
【図７】  ロック部材がスライドガイド手段の最下端位置にあり、パチンコ球払出装置の底面とスライドガイド手段との間に隙間がある状態を示す部分断面図である。
【図８】  ロック部材がスライドガイド手段の最上端位置にあり、固定保持手段によってパチンコ球払出装置を所定の位置に固定保持させた状態を示す部分断面図である。
【符号の説明】
１・・・パチンコ遊技機            ５・・・機構板
６・・・球タンク                  ９・・・パチンコ球払出装置
１１・・・誘導通路                １８・・・排出通路
２２・・・取付部                  ２３・・・凸部
２４・・・凸部                    ２５・・・ロック部材
２７・・・取手部                  ２９・・・上面
３１・・・縦リブ                  ３３・・・凹部
３５・・・横リブ                  ３７・・・外側面
３９・・・平板                    ４５・・・スライドガイド手段
４６・・・縦部材                  ４７・・・スライドガイド枠
４９・・・横部材                  ５１・・・壁面
５３・・・凸部                    ５５・・・固定保持手段
５６・・・付勢片                  ５７・・・内側面
５８・・・内側面                  ５９・・・ネジ孔
６１・・・ネジ孔                  ６２・・・球止め装置
６３・・・縦枠部材                ６４・・・横枠部材
【図１】
0004242577.tif 000002
【図２】
0004242577.tif 000003
【図３】
0004242577.tif 000004
【図４】
0004242577.tif 000005
【図５】
0004242577.tif 000006
【図６】
0004242577.tif 000007
【図７】
0004242577.tif 000008
【図８】
0004242577.tif 000009